(57)【要約】【課題】飲料用のスチール缶などの複数個の被加熱物を均一かつ急速に加熱することができ、さらには安定した動作ができる誘導加熱装置を提供すること。【解決手段】上側加熱コイル１４と下側加熱コイル１５との間に形成される空間に均一な磁界を発生させ、さらには入力電流の高調波を抑制するため、制御手段８は入力電流の高調波抑制手段と誘導加熱負荷への高周波電流の供給手段を共用化した第１のスイッチング素子６を内包するインバータ５を制御する。【選択図】図１
2010250950.tif 000002
【特許請求の範囲】
【請求項１】
商用電源と、前記商用電源に接続された交流電圧を整流する整流手段と、前記整流手段に一端を接続したリアクタと、前記リアクタに一端を接続した第１のスイッチング素子とスナバインダクタから構成される第１のスイッチアームと、前記第１のスイッチアームに一端を接続した第２のスイッチング素子と、前記第１のスイッチアームの他端と前記第２のスイッチング素子の他端に接続した平滑コンデンサと、互いに直列接続してスチール缶などの複数個の被加熱物に対して垂直方向上側および垂直方向下側に配置された上側加熱コイルおよび下側加熱コイルから構成される誘導加熱負荷および第１の共振コンデンサと、前記第１のスイッチアームに並列接続し、互いに直列接続した第３のスイッチング素子および第２の共振インダクタと第２の共振コンデンサから構成されるアクティブ補助共振回路と、前記スチール缶などの複数個の被加熱物に垂直方向下側に設置された温度センサと、前記第１のスイッチング素子および前記第２のスイッチング素子、前記第３のスイッチング素子のオン／オフを制御する制御手段とを備え、前記制御手段により前記スチール缶などの複数個の被加熱物を均一かつ急速に加熱する誘導加熱装置。
【請求項２】
制御手段は、第１のスイッチング素子および第２のスイッチング素子、第３のスイッチング素子のオン／オフを制御することにより、上側加熱コイルと下側加熱コイルとの間に形成される空間に均一な磁界を発生させる請求項１に記載の誘導加熱装置。
【請求項３】
制御手段は、温度センサによりスチール缶などの複数個の被加熱物の温度を検知し、第１のスイッチング素子および第２のスイッチング素子、第３のスイッチング素子のオン／オフを制御することにより、前記スチール缶などの複数の被加熱物の温度を一定に保つ請求項１または２に記載の誘導加熱装置。
【請求項４】
制御手段は、第１のスイッチング素子および第２のスイッチング素子、第３のスイッチング素子のオン／オフを制御することにより、誘導加熱負荷に高周波電流を供給し入力電流の高調波を抑制する請求項１または２に記載の誘導加熱装置。
【請求項５】
制御手段は、第３のスイッチング素子のオン／オフを制御することによりアクティブ補助共振回路を動作させ、第１のスイッチング素子のオン期間の任意の時点で零電流において前記第１のスイッチング素子をオフさせる請求項１または２に記載の誘導加熱装置。
【請求項６】
制御手段は、第３のスイッチング素子のオン／オフを制御することによりアクティブ補助共振回路を動作させ、前記アクティブ補助共振回路に内包される第２の共振インダクタおよび第２の共振コンデンサの共振現象により前記第３のスイッチング素子を零電流においてオン／オフさせる請求項１または２に記載の誘導加熱装置。
【請求項７】
制御手段は、商用電圧の零交差点を基準（重畳開始点）として、第１のスイッチング素子および第２のスイッチング素子、第３のスイッチング素子のオン／オフを制御することにより、入力電流に商用周期の第ｎ次周波成分の逆相の電流を重畳させる請求項１または２に記載の誘導加熱装置。
【請求項８】
制御手段は、第１のスイッチング素子のオン／オフを制御することによりリアクタに流れる電流がインバータのスイッチング１周期中において一度零点を通る請求項１または２に記載の誘導加熱装置。
【請求項９】
制御手段は、第１のスイッチング素子に直列に第１のスナバインダクタを接続することにより、前記第１のスイッチング素子を零電流においてオンさせ、第２のスイッチング素子を零電流においてオン／オフさせる請求項１または２に記載の誘導加熱装置。
【発明の詳細な説明】
【技術分野】
【０００１】
本発明は、商業店舗、オフィス、工場などで使用され、飲料用のスチール缶などの複数の被加熱物を均一かつ急速に加熱する誘導加熱装置に関するものである。
【背景技術】
【０００２】
従来、この種の誘導加熱装置は、高周波誘導加熱による金属缶の加熱装置に関して、他の部分に殆ど影響を及ぼすことなくカール部や巻締部だけを効率的に加熱する誘導加熱装置が知られている（例えば、特許文献１参照）。
【０００３】
図４は、特許文献１に記載された従来の金属缶の加熱装置の縦断面図を示すものである。図４に示すように、缶２２のカール部２２ａの上方に、缶２２と同心的に磁束発生コイル３０を設置し、この磁束発生コイル３０の下方に、カール部２２ａの縦幅と同じ略同じ厚みを備えた平板リング状の銅製円板３３を、絶縁性のホルダー２３と絶縁板３４との間で、カール部２２ａと対峙するように設置している。また、缶２２の巻締部２２ｂの下方に、缶２２と同心的に磁束発生コイル４０の上方に、磁束発生コイル４０内の電流により磁束を発生させる二次コイル５０を、絶縁性のホルダー２４と絶縁板４４との間で、巻締部２２ｂに内側から対峙するように設置して構成している。
【０００４】
図４のような発明の金属缶の加熱装置によれば、空缶のカール部を高周波誘導加熱により加熱する場合には、磁束発生コイル内交番電流により、銅製円板内に磁束が発生し、この磁束により、銅製円板と対峙するカール部で、円周方向に流れる誘導電流が発生して、カール部の金属が昇温することとなり、しかも、円板が銅製であるため、円板での高周波電流の浸透深さは、フェライトを使用した場合よりも浅くなって、誘導電流を円板の表面に発生させるため、カール部以外の部分で口頸部の被膜や塗装等に殆ど影響を及ぼすことなく、カール部だけを効率良く加熱することができる。
【０００５】
また、空缶の巻締部を高周波誘導加熱により加熱殺菌する場合には、磁束発生コイル内の交番電流により、二次コイルに磁束が発生し、この磁束により、二次コイルと対峙する巻締部で、円周方向に流れる誘導電流が発生して、巻締部の金属が昇温することとなり、しかも、巻締部に内側から誘導電流が発生させて底蓋側から巻締部を昇温させるため、巻締部以外の部分で胴部の塗装や被膜等に殆ど影響を及ぼすことなく、巻締部だけを効率良く加熱することができるものである。
【先行技術文献】
【特許文献】
【０００６】
【特許文献１】特開２００６−１３４６１６号公報
【発明の概要】
【発明が解決しようとする課題】
【０００７】
しかしながら、前記従来の構成では、１個の被加熱物を加熱するもので、また、缶の上方および下方に加熱コイルを設置しているため、缶のカール部および巻締部を局所的に加熱するものであり、複数個の被加熱物を均一に加熱できないという課題を有していた。
【０００８】
本発明は、前記従来の課題を解決するもので、複数個の被加熱物を均一に加熱し、かつ安定した動作を行う誘導加熱装置を提供することを目的とする。
【課題を解決するための手段】
【０００９】
前記従来の課題を解決するために、本発明の誘導加熱装置は、商用電源と、前記商用電源に接続された交流電圧を整流する整流手段と、前記整流手段に一端を接続したリアクタと、前記リアクタに一端を接続した第１のスイッチング素子とスナバインダクタから構成される第１のスイッチアームと、前記第１のスイッチアームに一端を接続した第２のスイッチング素子と、第１のスイッチアームの他端と第２のスイッチング素子の他端に接続した平滑コンデンサと、互いに直列接続してスチール缶などの複数個の被加熱物に対して垂直方向上側および垂直方向下側に配置された上側加熱コイルおよび下側加熱コイルから構成される誘導加熱負荷および第１の共振コンデンサと、前記第１のスイッチアームに並列接続し、互いに直列接続した第３のスイッチング素子および第２の共振インダクタと第２の共振コンデンサから構成されるアクティブ補助共振回路と、前記スチール缶などの複数個の被加熱物に垂直方向下側に設置された温度センサと、前記第１のスイッチング素子および前記第２のスイッチング素子、前記第３のスイッチング素子のオン／オフを制御する制御手段とを備えるとしたものである。
【００１０】
これによって、スチール缶などの複数個の被加熱物の垂直方向上側および垂直方向下側に上側加熱コイルおよび下側加熱コイルを配置することにより、前記上側加熱コイルと前記下側加熱コイルとの間に形成される空間に均一な磁界を発生させることが可能となり、さらに第１のスイッチング素子と第１の共振インダクタから構成される第１のスイッチアームに並列接続された第３のスイッチング素子を有するアクティブ補助共振回路により第１のスイッチング素子は零電流においてオン／オフさせることが可能となり、安定した動作となる。
【発明の効果】
【００１１】
本発明の誘導加熱装置は、飲料用のスチール缶などの複数個の被加熱物の垂直方向上側および垂直方向下側に配置した上側加熱コイルと下側加熱コイルとの間に形成される空間に均一な磁界を発生させることにより、前記スチール缶などの複数個の被加熱物を均一に加熱することができ、かつ安定した動作を行うことが可能である。
【図面の簡単な説明】
【００１２】
【図１】本発明の実施の形態１における誘導加熱装置の要部概略回路図
【図２】本発明の実施の形態１における誘導加熱装置の入力電流整形の模式図
【図３】本発明の実施の形態１における誘導加熱装置の各部動作波形を示す図
【図４】従来の金属缶の加熱装置の縦断面図
【発明を実施するための形態】
【００１３】
第１の発明は、商用電源と、前記商用電源に接続された交流電圧を整流する整流手段と、前記整流手段に一端を接続したリアクタと、前記リアクタに一端を接続した第１のスイッチング素子と第１の共振インダクタから構成される第１のスイッチアームと、前記第１のスイッチアームに一端を接続した第２のスイッチング素子と、第１のスイッチアームの他端と第２のスイッチング素子の他端に接続した平滑コンデンサと、互いに直列接続してスチール缶などの複数個の被加熱物に対して垂直方向上側および垂直方向下側に配置された上側加熱コイルおよび下側加熱コイルから構成される誘導加熱負荷および第１の共振コンデンサと、前記第１のスイッチアームに並列接続し、互いに直列接続した第３のスイッチング素子および第２の共振インダクタと第２の共振コンデンサから構成されるアクティブ補助共振回路と、前記スチール缶などの複数個の被加熱物に垂直方向下側に設置された温度センサと、前記第１のスイッチング素子および前記第２のスイッチング素子、前記第３のスイッチング素子のオン／オフを制御する制御手段とを備え、前記制御手段により前記スチール缶などの複数個の被加熱物を均一かつ急速に加熱するべく制御する誘導加熱装置としたものである。
【００１４】
これによって、複数個の被加熱物を均一に加熱することができ、さらに、第３のスイッチング素子および第２の共振インダクタ、第２の共振コンデンサから構成されるアクティブ補助共振回路により、回路の安定した動作が可能となる。
【００１５】
第２の発明は、特に、第１の発明の第１のスイッチング素子および第２のスイッチング素子、第３のスイッチング素子のオン／オフを制御することにより、上側加熱コイルと下側加熱コイルとの間に形成される空間に均一な磁界を発生させるべく制御する誘導加熱装置としたものである。
【００１６】
これによって、前記上側加熱コイルと前記下側加熱コイルとの間に形成される空間に均一な磁界させることにより、スチール缶などの複数個の被加熱物を均一に加熱することが可能となる。
【００１７】
第３の発明は、特に、第１または第２の発明の制御手段は、温度センサによりスチール缶などの複数個の被加熱物の温度を検知し、第１のスイッチング素子および第２のスイッチング素子、第３のスイッチング素子のオン／オフを制御することにより、前記スチール缶などの複数の被加熱物の温度を一定に保つべく制御する誘導加熱装置としたものである。
【００１８】
これによって、温度センサを設けることにより、所定の温度以下になる場合のみインバータを動作させることが可能となる。
【００１９】
第４の発明は、特に、第１または第２の発明の制御手段は、第１のスイッチング素子および第２のスイッチング素子、第３のスイッチング素子のオン／オフを制御することにより、誘導加熱負荷に高周波電流を供給し入力電流の高調波を抑制するべく制御する誘導加熱装置としたものである。
【００２０】
これによって、入力電流の高調波を抑制する機能と誘導加熱負荷に高周波電流を供給する機能を有する前記第１のスイッチング素子を設けることにより回路の簡素化が可能となる。
【００２１】
第５の発明は、特に、第１または第２の発明の制御手段は、第３のスイッチング素子のオン／オフを制御することによりアクティブ補助共振回路を動作させ、第１のスイッチング素子のオン期間の任意の時点で前記第１のスイッチング素子を零電流においてオフさせるべく制御する誘導加熱装置としたものである。
【００２２】
これにより、高調波を抑制するスイッチング素子を零電流においてオン／オフさせる場合に必要となる、パッシブスナバまたはアクティブスナバを構成するための回路部品が不要となる。また、高調波を抑制するスイッチング素子を零電流においてオン／オフさせない場合、前記高調波を抑制するスイッチング素子のオン／オフ時に、損失が増大するが、本発明では、第３のスイッチング素子を有するアクティブ補助共振回路を動作させることにより、第１のスイッチング素子をオン期間の任意の時点で零電流においてオフさせるため、回路部品の簡素化とスイッチング素子のオン／オフ時の損失の低減が可能となる。
【００２３】
第６の発明は、特に、第１または第２の発明の制御手段は、第３のスイッチング素子のオン／オフを制御することにより、アクティブ補助共振回路を動作させ、前記アクティブ補助共振回路に内包される第２の共振インダクタおよび第２の共振キャパシタの共振現象により、前記第３のスイッチング素子を零電流においてオン／オフさせるべく制御する誘導加熱装置としたものである。
【００２４】
これにより、アクティブ補助共振回路を設けることにより、第３のスイッチング素子を零電流においてオン／オフさせるため、前記第３のスイッチング素子のスイッチング損失を低減することが可能となる。また、前記共振素子の共振周期は、インバータのスイッチング周期に比べて小さいので、前記第３のスイッチング素子のオン期間を小さくすることができ、前記第３のスイッチング素子の導通損失を低減することが可能となる。
【００２５】
第７の発明は、特に、第１または第２の発明の制御手段は、商用電圧の零交差点を基準（重畳開始点）として、第１のスイッチング素子および第２のスイッチング素子、第３のスイッチング素子のオン／オフを制御することにより、入力電流に商用周期の第ｎ次周波成分を重畳させるべく制御する誘導加熱装置としたものである。
【００２６】
これにより、商用周期の第ｎ次周波成分を含む入力電流に商用電圧の零交差点を基準として、逆相の第ｎ次周波成分を重畳させることにより、入力電流を商用電圧と位相が一致した正弦波状に整形することが可能となる。
【００２７】
第８の発明は、特に、第１または第２の発明の制御手段は、第１のスイッチング素子のオン／オフを制御することによりリアクタ電流がインバータのスイッチング１周期中に１度零点を通るべく制御する誘導加熱装置としたものである。
【００２８】
これにより、リアクタ電流がインバータのスイッチング１周期中に１度零点を通る不連続電流モードとなるようにオン／オフ制御することにより、リアクタ電流の各周期におけるピーク値は商用入力電圧に比例した値となる。前記リアクタ電流をフィルタ回路において高調波成分を除去することにより入力電流は入力電圧と同相の正弦波状の波形とすることが可能となる。
【００２９】
第９の発明は、特に、第１または第２の発明の制御手段は、インバータに内包される第１のスイッチング素子に直列に第１のスナバインダクタを接続することにより、前記第１のスイッチング素子を零電流においてオンさせ、第２のスイッチング素子を零電流においてオン／オフさせるべく制御する誘導加熱装置としたものである。
【００３０】
これにより、インバータに内包される第１のスイッチング素子と第２のスイッチング素子を零電流においてオン／オフさせることにより、オン／オフ時のスイッチング損失を低減することが可能である。
【００３１】
以下、本発明の実施の形態について、図面を参照しながら説明する。なお、この実施の形態によって本発明が限定されるものではない。
【００３２】
（実施の形態１）
図１は、本発明の第１の実施の形態における誘導加熱装置の要部概略回路図を示すものである。
【００３３】
図１において、商用電源１からの商用電圧を整流するダイオードブリッジからなる整流手段２の高電位出力側にはリアクタ３が接続されており、低電位出力側には平滑コンデンサ４（電解コンデンサ）の低電位端子が接続されている。
【００３４】
リアクタ３の他端には第１のスイッチング素子６の高電位端子（ＩＧＢＴの場合はコレクタ、ＭＯＳＦＥＴの場合はドレイン）と第２のスイッチング素子７の低電位端子（ＩＧＢＴの場合はエミッタ、ＭＯＳＦＥＴの場合はソース）が接続されている。
【００３５】
リアクタ３は、第１のスイッチング素子６がオンされたときに、商用電源１からの電力
を蓄積するとともに、第１のスイッチング素子６がオフされたときに、この蓄積した電力を平滑コンデンサ４に供給するための電力タンク手段である。
【００３６】
第１のスイッチング素子６の低電位端子には第１の共振インダクタ９が接続されている。第１の共振インダクタ９の他端には平滑コンデンサ４の低電位端子が接続されており、平滑コンデンサ４の高電位端子には第２のスイッチング素子７の高電位端子が接続されている。
【００３７】
平滑コンデンサ４には、インバータ５が接続されており、インバータ５側から見て平滑コンデンサ４はインバータ５電源の役割をなしている。
【００３８】
第２のスイッチング素子７の高電位端子には、第１の共振コンデンサ１０が接続されており、第１の共振コンデンサ１０の他端には、互いに直列接続した上側加熱コイル１４と下側加熱コイル１５から構成される誘導加熱負荷が接続されている。下側加熱コイル１５の他端には、第２のスイッチング素子７の低電位端子が接続されている。
【００３９】
上側加熱コイル１４と下側加熱コイル１５との間に形成される空間にはスチール缶などの複数個の被加熱物１７が配置されている。
【００４０】
スチール缶などの複数個の被加熱物１７の下側には温度センサ１６が設置されている。
【００４１】
第１のスイッチング素子６と第１の共振インダクタ９を内包する第１のスイッチアームには、第３のスイッチング素子１１および第２の共振インダクタ１２、第２の共振コンデンサ１３から構成されるアクティブ補助共振回路が並列接続されている。
【００４２】
制御手段８は、駆動信号を第１のスイッチング素子６および第２のスイッチング素子７、第３のスイッチング素子１１に出力している。制御手段８から出力される駆動信号は、入力電流Ｉｉｎの高調波を抑制するために、電流波形がほぼ正弦波となるように設定されている。ならびに制御手段８から出力される駆動信号は、上側加熱コイル１４および下側加熱コイル１５から構成される誘導加熱負荷に所定の出力が得られるように設定されている。
【００４３】
また第１のスイッチング素子６および第２のスイッチング素子７、第３のスイッチング素子１１はそれぞれ逆導通ダイオードを内蔵している。
【００４４】
以上のように構成された誘導加熱装置について、以下、その動作、作用を説明する。
【００４５】
まず、商用電源１が投入され、制御手段８から第１のスイッチング素子６に駆動信号が出力されると、リアクタ３電流が線形的に増加し、リアクタ３に電力を蓄積する。
【００４６】
ならびに平滑コンデンサ４をインバータ５電源として、上側加熱コイル１４および下側加熱コイル１５から構成される誘導加熱負荷に高周波電力が供給される電力供給モードとなる。
【００４７】
上側加熱コイル１４および下側加熱コイル１５から構成される誘導加熱負荷に所定の高周波電力が供給されると、上側加熱コイル１４と下側加熱コイル１５との間に形成される空間に均一な磁界が発生する。
【００４８】
電力供給モードにおいて、制御手段８から第３のスイッチング素子に駆動信号が出力されると、第３のスイッチング素子１１および第２の共振インダクタ１２、第２の共振コン
デンサ１３から構成されるアクティブ補助共振回路が起動し、第１の共振インダクタ９および第２の共振インダクタ１２、第２の共振コンデンサ１３の共振現象により、第１のスイッチング素子６および第３のスイッチング素子１１は零電流においてオフされる。
【００４９】
第１のスイッチング素子６がオフされると、リアクタ３電流は減少していく。このときリアクタ３に蓄積された電力が平滑コンデンサ４に供給される。
【００５０】
図２は、本発明の実施の形態１における誘導加熱装置の入力電流整形の模式図を示す。
【００５１】
図２（ａ）商用周波の第３次周波成分を含んだ入力電流波形に示すように、入力電流Ｉｉｎは商用周波の第３次周波成分を含んだ電流波形となっている。このとき図２（ａ）に示す入力電流Ｉｉｎに図２（ｂ）重畳する商用周波の第３次周波の電流波形に示す商用周波の第３次周波成分を重畳させることにより、入力電流Ｉｉｎは図２（ｃ）商用周波の第３次周波成分を重畳後の入力電流波形に示す高調波の抑制された正弦波形状の電流波形に整形される。
【００５２】
図３は、本発明の実施の形態１における誘導加熱装置の各部動作波形を示し、誘導加熱負荷に所定の出力が得られている状態での各部動作波形である。
【００５３】
図３（ａ）は各スイッチング素子の駆動信号、図３（ｂ）は第１のスイッチング素子６の電圧・電流波形、図３（ｃ）は第２のスイッチング素子７の電圧・電流波形、図３（ｄ）は第３のスイッチング素子１１の電圧・電流波形、図３（ｅ）はリアクタ３電流波形をそれぞれ示している。
【００５４】
図３において、リアクタ３の値は、リアクタ３の電流がインバータ５のスイッチング１周期中に１度零点を通る不連続電流モードを維持するように設定すると、リアクタ３電流のインバータのスイッチング周期ごとのピーク値は、商用電圧に比例した三角波パルス列となる。
【００５５】
この三角波パルス列は共振素子を内包するフィルタ回路において、高調波成分を除去することにより、入力電流Ｉｉｎは商用電圧と同相の正弦波形状の電流波形が得られる。
【００５６】
第１のスイッチング素子６のオン時において、第１の共振インダクタ９により電流のｄＩ／ｄｔが緩やかになり、第１のスイッチング素子６は零電流においてオンしている。
【００５７】
上側加熱コイル１４に直列に接続された第１の共振コンデンサ１０は、負荷共振周波数がインバータのスイッチング周波数より大きくなるように設定する。
【００５８】
第３のスイッチング素子１１のオン時において、アクティブ補助共振回路に内包された第２の共振インダクタ１２および第２の共振コンデンサ１３の共振現象により、電流のｄＩ／ｄｔが緩やかになり、第３のスイッチング素子は零電流においてオンしている。
【００５９】
第１のスイッチング素子６と第３のスイッチング素子１１のオフ時において、第１の共振インダクタ９および第２の共振インダクタ１２、第２の共振コンデンサ１３の共振現象により、第１のスイッチング素子６と第３のスイッチング素子１１は零電流においてオフする。
【００６０】
第２のスイッチング素子７は、第１の共振コンデンサ１０および上側加熱コイル１４、下側加熱コイル１５による共振現象により零電流においてオン／オフする。
【００６１】
以上のように、本実施の形態においては、商用電源と、前記商用電源に接続された交流電圧を整流する整流手段と、前記整流手段に一端を接続したリアクタと、前記リアクタに一端を接続した第１のスイッチング素子とスナバインダクタから構成される第１のスイッチアームと、前記第１のスイッチアームに一端を接続した第２のスイッチング素子と、第１のスイッチアームの他端と第２のスイッチング素子の他端に接続した平滑コンデンサと、互いに直列接続してスチール缶などの複数個の被加熱物に対して垂直方向上側および垂直方向下側に配置された上側加熱コイルおよび下側加熱コイルから構成される誘導加熱負荷および第１の共振コンデンサと、前記第１のスイッチアームに並列接続し、互いに直列接続した第３のスイッチング素子および第２の共振インダクタと第２の共振コンデンサから構成されるアクティブ補助共振回路と、前記スチール缶などの複数個の被加熱物に垂直方向下側に設置された温度センサと、前記第１のスイッチング素子および前記第２のスイッチング素子、前記第３のスイッチング素子のオン／オフを制御する制御手段を備えるとしたものである。これによって、スチール缶などの複数個の被加熱物の垂直方向上側および垂直方向下側に上側加熱コイルおよび下側加熱コイルを配置することにより、前記上側加熱コイルと前記下側加熱コイルとの間に形成される空間に均一な磁界を発生させることが可能となり、さらに第１のスイッチング素子と第１の共振インダクタから構成される第１のスイッチアームに並列接続された第３のスイッチング素子を有するアクティブ補助共振回路により第１のスイッチング素子は零電流においてオン／オフさせることが可能となり、安定した動作とすることができる。
【産業上の利用可能性】
【００６２】
以上のように、本発明にかかる誘導加熱装置は、飲料用のスチール缶など複数個の被加熱物を均一に加熱することができ、また、回路の簡素化、スイッチング素子のオン／オフ時の損失の低減ができ、入力電流の高調波を抑制することにより、電力系統や電力系統に接続された他機器への影響を少なくできるので、誘導加熱機器に有効である。
【符号の説明】
【００６３】
１  商用電源
２  整流手段
３  リアクタ
４  平滑コンデンサ
５  インバータ
６  第１のスイッチング素子
７  第２のスイッチング素子
８  制御手段
９  第１の共振インダクタ（スナバインダクタ）
１０  第１の共振コンデンサ
１１  第３のスイッチング素子
１２  第２の共振インダクタ
１３  第２の共振コンデンサ
１４  上側加熱コイル
１５  下側加熱コイル
１６  温度センサ
１７  被加熱物
【図１】
2010250950.tif 000003
【図２】
2010250950.tif 000004
【図３】
2010250950.tif 000005
【図４】
2010250950.tif 000006